【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
無溶媒で、貯蔵安定性の、無定形のオルガノシラン第四級アンモニウム化合物の液体混合物であって、
当該化合物は、当該液体混合物を製造するための、溶媒なしでの、１：１の比の脂肪族アミンの混合物の分子当量とクロロアルキルトリアルコキシシランの分子当量の反応から得られ、及び、式：
【化１】
2013526619.tif 000001
（式中、Ｒ１は水素及び／又はＣ１〜Ｃ４アルキルであり、Ｒ２はＣ１〜Ｃ８個の炭素原子を有する二価炭化水素基であり、Ｒ３は水素、又はＣ１〜Ｃ４アルキルであり、Ｒ４は水素、又はＣ１〜Ｃ１０アルキルであり、Ｒ５はＣ８〜Ｃ２２飽和又は不飽和炭化水素基であり、Ｘは塩化物である）
によって定義される、
液体混合物。
【請求項２】
Ｒ１が、メチル又はエチルであり、Ｒ２が、プロピルであり、Ｒ３が、メチル又は水素であり、Ｒ４が、メチル又は水素であり、Ｒ５が、オクチル、デシル、ドデシル、テトラデシル、テトラデセニル、ヘキサデシル、パルミトレイル、オクタデシル、オレイル、リノレイル、ドコシル、又はイコシルである請求項１の液体混合物。
【請求項３】
前記混合物が、
３−（トリメトキシシリル）プロピルジメチルオクタデシルアンモニウムクロリド、
３−（トリメトキシシリル）プロピルジメチルデシルアンモニウムクロリド、
３−（トリメトキシシリル）プロピルジメチルドデシルアンモニウムクロリド、
３−（トリメトキシシリル）プロピルジデシルメチルアンモニウムクロリド、
３−（トリメトキシシリル）プロピルテトラデシルジメチルアンモニウムクロリド、
３−（トリメトキシシリル）プロピルジメチルヘキサデシルアンモニウムクロリド、
３−（トリメトキシシリル）プロピルジメチルソーヤアンモニウムクロリド、
３−（トリメトキシシリル）プロピルジメチルオレイルアンモニウムクロリド、
３−（トリメトキシシリル）プロピルジメチルパルミトレイルアンモニウムクロリド、
３−（トリメトキシシリル）プロピルジメチルイコシルアンモニウムクロリド、
３−（トリヒドロキシシリル）プロピルジメチルオクタデシルアンモニウムクロリド、
３−（トリメトキシシリル）プロピルオクチルアンモニウムクロリド、
３−（トリメトキシシリル）プロピルデシルアンモニウムクロリド、
３−（トリメトキシシリル）プロピルテトラデシルアンモニウムクロリド、
３−（トリメトキシシリル）プロピルテトラデセニルアンモニウムクロリド、
３−（トリメトキシシリル）プロピルヘキサデシルアンモニウムクロリド、
３−（トリメトキシシリル）プロピルパルミトレイルアンモニウムクロリド、
３−（トリメトキシシリル）プロピルオクタデシルアンモニウムクロリド、
３−（トリメトキシシリル）プロピルオレイルアンモニウムクロリド、
３−（トリメトキシシリル）プロピルドコシルアンモニウムクロリド、
３−（トリメトキシシリル）プロピルイコシルアンモニウムクロリド、
３−（トリメトキシシリル）プロピルジメチルミリストレイルアンモニウムクロリド、及び
３−（トリメトキシシリル）プロピルジメチルドコシルアンモニウムクロリド、並びに
それらの混合物、
からなる群から選択されるオルガノシラン第四級アンモニウム化合物を含有する請求項１の液体混合物。
【請求項４】
オルガノシラン第四級アンモニウム化合物の混合物が、前記化合物と水の液体混合物の全体重量の少なくとも約０．０００２％の量で存在する、水と請求項１の液体混合物。
【請求項５】
オルガノシラン第四級アンモニウム化合物の混合物が、前記化合物と水の混合物の全体重量の少なくとも約４２％の量で存在する、請求項４の液体混合物。
【請求項６】
オルガノシラン第四級アンモニウム化合物の混合物が、前記化合物と水の液体混合物の全体重量の少なくとも約７２％の量で存在する、請求項４の液体混合物。
【請求項７】
すぐ使用できる液体製品としての、請求項４の液体混合物。
【請求項８】
液体、スラリー、クリーム、又は粉末を形成するための、水と請求項４の液体混合物であって、オルガノシラン第四級アンモニウム化合物の前記混合物が、化合物及び水の前記液体混合物の全体重量に対して少なくとも約０．０００２％の濃度で存在する、液体混合物。
【請求項９】
表面を処理し、それによって前記表面を水及び汚れを弾くようにするための貯蔵安定性のクリーニング及び多機能コーティング組成物としての請求項７の液体混合物。
【請求項１０】
非反応性の研磨用固体粒子を含有する、請求項９の液体混合物。
【請求項１１】
スラリー、クリーム、ゲル、又は粉末の形をしている、請求項１０の液体混合物。
【請求項１２】
界面活性剤、増粘剤、ゲル化剤、研磨剤、滑剤、希釈剤、溶剤、香料、着色剤、過酸化物、及びそれらの混合物からなる群から選択される添加剤と請求項４の液体混合物。
【請求項１３】
過酸化水素又はその錯体を含有する請求項４の液体混合物。
【請求項１４】
過酸化水素が、最大約８重量％までの量であり、オルガノシラン第四級アンモニウム化合物の前記混合物が最大約８重量％までの量で存在する、原液としての請求項１３の液体混合物。
【請求項１５】
前記過酸化水素が、最大約３重量％までの量で存在し、オルガノシラン第四級アンモニウム化合物の前記混合物が、約３重量％の量で存在する、請求項１３の液体混合物。
【請求項１６】
非反応性の研磨用粒子が最大約３５重量％までの量で含まれている、請求項１０の液体混合物。
【請求項１７】
前記非反応性の研磨用粒子が、被覆されているか被覆されていない、尿素樹脂、シリカ、シリケート、金属酸化物、金属炭酸塩、粘土、炭化物、及びプラスチックからなる群から選択される、請求項１６の液体混合物。
【請求項１８】
オルガノシラン第四級アンモニウム化合物の前記混合物が、表面をクリーニングするため及び前記表面に多機能のコーティングを結合させ、それによって前記表面を（ａ）水及び汚れを弾き、（ｂ）抗菌性とし、且つ（ｃ）次回のクリーニングをより容易にするのに有効な量で存在する請求項８の液体混合物。
【請求項１９】
オルガノシラン第四級アンモニウム化合物の無溶媒で貯蔵安定性の混合物を脂肪族アミンの混合物及びクロロアルキルトリアルコキシシランから製造する方法であって、
第一級、第二級、及び第三級アミン、並びにそれらの混合物の群から選択される脂肪族アミンであり、前記脂肪族アミンの少なくとも１つの基がＣ８〜Ｃ２２の範囲の線状炭化水素鎖長の飽和又は不飽和炭化水素基を有する前記脂肪族アミンの混合物の分子組成及び当量を決定するステップ、
クロロアルキルトリアルコキシシランの分子組成及び当量を決定するステップ、及び
溶媒なしで、前記アミン混合物の分子当量を前記クロロアルキルトリアルコキシシランの分子当量と１：１の比で反応させて、式
【化２】
2013526619.tif 000002
（式中、Ｒ１は水素及び／又はＣ１〜Ｃ４アルキルであり、Ｒ２はＣ１〜Ｃ８個の炭素原子を有する二価炭化水素基であり、Ｒ３は水素、又はＣ１〜Ｃ４アルキルであり、Ｒ４は水素、又はＣ１〜Ｃ１０アルキルであり、Ｒ５はＣ８〜Ｃ２２飽和又は不飽和炭化水素基であり、Ｘは塩化物である）
によって定義されるオルガノシラン第四級アンモニウム化合物の無溶媒で、貯蔵安定性の混合物を形成するステップ、
を含む前記方法。
【請求項２０】
前記クロロアルキルトリアルコキシシランが、クロロプロピルトリメトキシシラン及びクロロプロピルトリエトキシシラン、並びにそれらの混合物からなる群から選択される、請求項１９の方法。
【請求項２１】
脂肪族アミンの混合物の分子組成及び当量が、クロロアルキルトリアルコキシシランの分子当量との１：１の反応のために、混合物中の各アミンの相対的割合を同定して全混合物の分子当量を決定することによって得られる、請求項１９の方法。
【請求項２２】
前記脂肪族アミンの混合物が、
オクチルジメチルアミン、
デシルジメチルアミン、
ドデシルジメチルアミン、
テトラデシルジメチルアミン、
ヘキサデシルジメチルアミン、
オクタデシルジメチルアミン、
パルミトレイルジメチルアミン、
オレイルジメチルアミン、
イコシルジメチルアミン、
ミリストレイルジメチルアミン、
ドデシルアミン、
テトラデシルアミン、
ミリストレイルアミン、
ヘキサデシルアミン、
パルミトレイルアミン、
オクタデシルアミン、
オレイルアミン、
イコシルアミン、
ドコシルアミン、
オクチルアミン、及び
デシルアミン、並びに
それらの混合物
からなる群から選択される、請求項１９の方法。
【請求項２３】
前記クロロアルキルトリアルコキシシランが、クロロプロピルトリメトキシシラン及びクロロプロピルトリエトキシシラン、並びにそれらの混合物からなる群から選択される、請求項２２の方法。
【請求項２４】
約２０℃〜約１２０℃の温度で行われる、請求項１９の方法。